(57)【要約】【課題】  包装材の易開封手段による引き裂きに方向性を持たせる。【解決手段】  複数のフィルムの積層体１からなる包装材において、間歇的に設けた連結部１１Ｂを残した切断線１１Ａにより部分的に連結された分断フィルム２を他の非分断フィルム１０に積層することにより積層体に引き裂き誘導線１１を施し、上記引き裂き誘導線を複数本設けると共に、包装材の端部にして複数本の引き裂き誘導線に挟まれた箇所に引き裂き開始部分となるノッチ状の切り欠き１２を設ける。【選択図】      図３
2004331223.tif 000002
【特許請求の範囲】
【請求項１】
複数のフィルムの積層体からなる包装材において、間歇的に設けた連結部を残した切断線により部分的に連結された分断フィルムを他の非分断フィルムに積層することにより積層体に引き裂き誘導線を施し、上記引き裂き誘導線を複数本設けると共に、包装材の端部にして複数本の引き裂き誘導線に挟まれた箇所に引き裂き開始部分となるノッチ状の切り欠きを設けたことを特徴とする易開封手段を有する包装材。
【請求項２】
切断線の長さは３０ｍｍ〜２５０ｍｍ、連結部の長さは１ｍｍ〜５ｍｍの範囲内である請求項１記載の易開封手段を有する包装材。
【請求項３】
積層体に対して引き裂き誘導線を２本設けると共に、包装材の端部にして上記引き裂き誘導線に挟まれた箇所にノッチ状の切り欠きを設けた請求項１又は２記載の易開封手段を有する包装材。
【請求項４】
積層体に対して引き裂き誘導線を３本設けると共に、包装材の端部にして上記引き裂き誘導線中の中央の引き裂き誘導線に連続してノッチ状の切り欠きを設けた請求項１又は２記載の易開封手段を有する包装材。
【請求項５】
積層段階の前段階でカッターにより切断することにより分断したフィルムを他の非分断フィルムに積層することにより、引き裂き誘導線を施した積層体を得るに際し、フィルムを完全に切断せずに間歇的に設けた連結部を残した切断線により部分的に連結したことを特徴とする易開封手段を有する包装材の製造方法。
【発明の詳細な説明】
【技術分野】
【０００１】
この発明は積層フィルムからなる包装材の易開封手段に関し、より詳細には易開封手段による引き裂きに方向性を持たせたものに関する。
【背景技術】
【０００２】
プラスチックやプラスチックを主体とした複数のフィルムの積層体からなる包装材の易開封手段として、図９に示すように包装材Ｂに製袋した包装材の端部に引き裂き開始部分となるノッチ状の切り欠きＮを設けることが広く行われている。この場合、そのままでは図１０に示すように引き裂き方向が不定となるので、開封後の再封止を実現するためのファスナーＦを設けた図９に示すような包装袋Ｂや、こぼれ落ちたり破損しやすい内容物を包装することを予定した包装袋においては、引き裂きを引き裂き開始部分から包装袋を横断する方向に誘導する手段が必要となる。
【特許文献１】特開平４−３１１４６６号公報
【特許文献２】実願昭５９−１８２６１１号（実開昭６１−９７１４９号）のマイクロフィルム
【発明の開示】
【発明が解決しようとする課題】
【０００３】
前記の誘導手段として、積層体中の特定の層を構成するフィルムに切れ目を設けると共に、ノッチ状の切り欠きをこの切れ目に連続させる発明が公知である。この場合、切れ目を設ける手段としては積層体に対し刻設により切れ目を入れたりレーザ加工により切れ目を入れるものが公知であるが、前者の場合は切れ目の深さの精度の確保が難しく、後者の場合はコストの嵩むレーザ装置を製袋機ごとに設置しなければならない問題があった。
【０００４】
一方、切れ目を積層後に施すのでなく、積層段階の前段階でカッターにより切断することにより分断したフィルムを他の非分断フィルムに積層することにより、切れ目を施した積層体を得る発明が前記特許文献１において公知である。又、切れ目に代え積層段階の前段階でミシン目を積層体中の特定の層を構成するフィルムに施す発明が前記特許文献２において公知である。
【０００５】
しかしながら、前者に関してはフィルムが完全に分断されるので、積層段階において分断されたフィルムの端面同士がうまく突き合わず、切れ目が不均一になるおそれがあり、又、積層工程の接着剤塗布後の乾燥により分断したフィルム同士に伸縮の差が生じようとして蛇行するおそれがあった。一方、後者に関しては切断部分と非切断部分の割合が同程度か、切断部分の割合が多いとしても非切断部分に対する差が僅かであるミシン目の特質上、所望の引き裂き誘導作用が得られないおそれがあった。
【課題を解決するための手段】
【０００６】
この発明は以上の従来技術の問題点に鑑みて創作されたものであり、複数のフィルムの積層体からなる包装材において、間歇的に設けた連結部を残した切断線により部分的に連結された分断フィルムを他の非分断フィルムに積層することにより積層体に引き裂き誘導線を施し、上記引き裂き誘導線を複数本設けると共に、包装材の端部にして複数本の引き裂き誘導線に挟まれた箇所に引き裂き開始部分となるノッチ状の切り欠きを設けたことを特徴とする。
【０００７】
この発明においては、フィルムは切断線によりほぼ分断状態となり、間歇的に設けた連結部により僅かに連結されるのみであり、この点において前記の公知発明の「ミシン目」と区別される。
【発明の効果】
【０００８】
以上の構成よりなるこの発明は次の特有の効果を奏する。
(1) フィルムは切断線によりほぼ分断状態となり、間歇的に設けた連結部により僅かに連結されるのみなので、確実な引き裂き誘導効果を得ることができる。
(2) フィルムは完全に分断されず、間歇的に設けた連結部により僅かに連結されるので、引き裂き誘導線を積層段階の前段階で施しても積層段階において分断されたフィルムの端面同士がうまく突き合い、均一な切れ目が得られる。
(3) 同様の理由から、仮に接着剤塗布後の乾燥により分断したフィルム同士の伸縮の差が生じようとしても、互いに連結しているのでその影響は可及的に防止され蛇行することがない。
【発明を実施するための最良の形態】
【０００９】
以下、この発明の具体的実施例を添付図面に基づいて説明する。図１はこの発明の包装材の実施例の積層前の状態、図２は積層後の状態を示す図である。この実施例においては積層体１として裏側フィルム２と表側フィルム１０の２層からなるものを想定している。ここでは、裏側フィルム２の素材例として無延伸ポリプロピレン、リニアローデンシティポリエチレン、ローデンシティポリエチレンを、表側フィルム１０の素材例として二軸延伸ポリプロピレン、二軸延伸ナイロン、二軸延伸ポリエステルを例示するが、素材はこれらに限られないことは勿論であり、又、積層数も２層に限られないことも勿論である。
【００１０】
図中符号１１は易開封の手段を構成する引き裂き誘導線である。ここでは表側フィルム１０側に設けられるが、裏側フィルムに設けてもよく、又、積層体が３層以上の場合は中間層に設けてもよいことは勿論である。この引き裂き誘導線１１は間歇的に設けた連結部１１Ｂを残した切断線１１Ａにより構成されるものである。この実施例においては切断線１１Ａとして４０ｍｍ、連結部１１Ｂとして３ｍｍの長さを設定している。尚、寸法はこれらに限られるものでなく、要は表側フィルム１０がほぼ分断状態となり、間歇的に設けた連結部により僅かに連結されるのみとなればよいのであるが、連結部１１Ｂの長さが長過ぎるとそこから引き裂きの方向性が損なわれるおそれがあり、切断線１１Ａの長さが短過ぎると易開封作用がうまく得られないおそれがある。この発明においては、切断線の長さは３０ｍｍ〜２５０ｍｍ、連結部の長さは１ｍｍ〜５ｍｍの範囲内と想定しているが、切断線の長さを４０ｍｍ〜７０ｍｍ、連結部の長さを１ｍｍ〜３ｍｍの範囲内とする場合はより良好な作用を得ることができる。
【００１１】
以上の引き裂き誘導線１１は表側フィルム１０と裏側フィルム２との積層にあたり、それらの積層段階の前段階において施される。図７はこのような積層工程をノンソルベントラミネート方式の場合を例にとり示す図であり、ニップロール２１による表側フィルム１０と裏側フィルム２の積層段階の前段階で、カッター２０により表側フィルムに引き裂き誘導線１１が施される。加熱により粘度を下げた状態の無溶剤接着剤２３をフィルムに塗布後積層するこのラミネート方式の場合は、接着剤塗布後の乾燥工程がないために乾燥による分断したフィルム同士の伸縮の差が生じないので、ここでは引き裂き誘導線１１は接着剤の塗布段階の前段階に施している。尚、図中符号２２は接着剤２３の供給ノズルである。
【００１２】
図８はこの発明の積層工程をドライラミネート方式の場合を例にとり示す図であり、表側フィルム１０には溶剤で希釈した接着剤３０がグラビヤロール３１で塗布された後、乾燥ゾーン３２を通過することにより乾燥される。この場合、ここではカッター３３による表側フィルム１０への引き裂き誘導線１１の形成は、ニップロール３４による積層段階と乾燥ゾーン３２の間の段階で行われる。
【００１３】
図３、図４、図６は以上の包装材を製袋した状態を示す図であり、ここでは包装袋ＢとしてファスナーＦ付きの袋を例示する。この包装袋Ｂは包装材の裏側フィルム２同士を重ね合わせると共に周辺Ｂ１をヒートシール等により溶着することにより得られるものであり、易開封手段はファスナーＦと袋の上端との間に袋を横断するように設けられる。ここでは、引き裂き誘導線１１は間隔をおいて２本設けら、包装袋Ｂの端部にして上記引き裂き誘導線に挟まれた箇所にノッチ状の切り欠き１２が設けられる。又、引き裂き誘導線１１は包装袋の表裏に設けられる（図６参照）。
【００１４】
その結果、図４に仮想線で示すように切り欠き１２を手がかりに袋を切り裂いた場合、当初は引き裂き方向は一定しないが、２本の引き裂き誘導線１１、１１に挟まれているので必ずどちらかの誘導線に行き当たり、その後は誘導線に沿って袋の横断方向に誘導されることとなる。
【００１５】
図５は引き裂き誘導線を３本設けた例を示す図であり、ノッチ状の切り欠き１２は中央の引き裂き誘導線に連続して設けられる。この場合は、引き裂きは当初から中央の引き裂き誘導線１１により誘導されるが、万が一、連結部１１Ｂ箇所で誘導方向がそれた場合は外側の２本の引き裂き誘導線１１、１１に挟まれているので、必ずどちらかの誘導線に行き当たり、その後はこれらの誘導線に誘導されることとなるので、前記の場合に比べてより確実な易開封作用が実現されることとなる。
【図面の簡単な説明】
【００１６】
【図１】この発明の包装材の積層直前の状態の斜視図。
【図２】この発明の包装材の積層後の状態の斜視図。
【図３】この発明の包装材による包装袋の平面図。
【図４】同上要部の拡大平面図。
【図５】この発明の包装材による包装袋の異なる実施例の要部の拡大平面図。
【図６】この発明の包装材による包装袋の断面図。
【図７】この発明の包装材の製造方法を示す工程図。
【図８】この発明の包装材の製造方法の異なる実施例を示す工程図。
【図９】従来技術の包装材による包装袋の平面図。
【図１０】同上要部の拡大平面図。
【符号の説明】
【００１７】
１            積層体
１０          非分断フィルム
１１          引き裂き誘導線
１１Ａ        切断線
１１Ｂ        連結部
【図１】
2004331223.tif 000003
【図２】
2004331223.tif 000004
【図３】
2004331223.tif 000005
【図４】
2004331223.tif 000006
【図５】
2004331223.tif 000007
【図６】
2004331223.tif 000008
【図７】
2004331223.tif 000009
【図８】
2004331223.tif 000010
【図９】
2004331223.tif 000011
【図１０】
2004331223.tif 000012